(57)【要約】【課題】ギャッジベッドの起伏動作によるしわの発生を軽減することが可能なギャッジベッド用シーツを提供する。【解決手段】  ギャッジベッド１００上に載置されるマットレス２００に使用されるギャッジベッド用シーツ１であって、マットレス２００上を幅方向に横断するように敷設されるシーツ本体１０と、シーツ本体１０の両側縁部にそれぞれ設けられ、ギャッジベッド１００とマットレス２００との間に巻き込まれる巻込み部２０，２２とを備える。巻込み部２０，２２は、シーツ本体１０よりも伸縮性を有している。【選択図】図１
2014138662.tif 000002
【特許請求の範囲】
【請求項１】
ギャッジベッド上に載置されるマットレスに使用されるギャッジベッド用シーツであって、
前記マットレス上を幅方向に横断するように敷設されるシーツ本体と、
前記シーツ本体の両側縁部にそれぞれ設けられ、前記ギャッジベッドと前記マットレスとの間に巻き込まれる巻込み部とを備え、
前記巻込み部は、前記シーツ本体よりも伸縮性を有している
ことを特徴とするギャッジベッド用シーツ。
【請求項２】
前記巻込み部は、それぞれ、前記シーツ本体の側縁部に直交する方向よりも、前記シーツ本体の側縁部に沿う方向への伸縮が大きくなるように構成されている
ことを特徴とする請求項１に記載のギャッジベッド用シーツ。
【請求項３】
前記巻込み部は、前記シーツ本体の両側縁部に沿ってそれぞれ複数に分断して設けられている
ことを特徴とする請求項１又は２に記載のギャッジベッド用シーツ。
【請求項４】
前記シーツ本体は、表生地と防水シートとが積層されたシート状に形成されている
ことを特徴とする請求項１乃至３いずれか１項に記載のギャッジベッド用シーツ。
【請求項５】
前記表生地と前記防水シートは、前記シーツ本体の周縁部よりも内側において縫合されており、
前記シーツ本体の周縁部には、縁かがり縫い処理が施されていない
ことを特徴とする請求項４に記載のギャッジベッド用シーツ。
【発明の詳細な説明】
【技術分野】
【０００１】
本発明は、ギャッジベッド上に載置されるマットレスへの使用に適したギャッジベッド用シーツに関するものである。
【背景技術】
【０００２】
従来から、寝たきりの老人や病人等（被介護者）が快適に過ごしやすく、また介護を容易にするための医療用及び介護用のベッドとして、被介護者の上体を起こすことが可能なギャッジベッドが用いられている（特許文献１）。このギャッジベッドには、通常、屈曲自在のマットレスが載置されると共に、このマットレス上に一枚もののシーツが敷設される。
【先行技術文献】
【特許文献】
【０００３】
【特許文献１】特開平９−９４２７２号公報
【発明の概要】
【発明が解決しようとする課題】
【０００４】
しかしながら、ギャッジベッドは、マットレスごと屈曲するように構成されていることから、ギャッジベッドの起伏動作によってシーツにしわが寄り易いという問題がある。このようなシーツのしわは、長期間寝たきりの被介護者にとって深刻な問題である床ずれを引き起こす原因となる。
【０００５】
そこで、本発明は、ギャッジベッドの起伏動作によるしわの発生を軽減することが可能なギャッジベッド用シーツを提供することを目的とする。
【課題を解決するための手段】
【０００６】
上記の目的を達成するため、本発明に係るギャッジベッド用シーツは、ギャッジベッド上に載置されるマットレスに使用されるギャッジベッド用シーツであって、前記マットレス上を幅方向に横断するように敷設されるシーツ本体と、前記シーツ本体の両側縁部にそれぞれ設けられ、前記ギャッジベッドと前記マットレスとの間に巻き込まれる巻込み部とを備え、前記巻込み部は、前記シーツ本体よりも伸縮性を有していることを特徴とする。
【０００７】
本発明に係るギャッジベッド用シーツにおいて、前記巻込み部は、それぞれ、前記シーツ本体の側縁部に直交する方向よりも、前記シーツ本体の側縁部に沿う方向への伸縮が大きくなるように構成されていることが好ましい。
【０００８】
また、本発明に係るギャッジベッド用シーツにおいて、前記巻込み部は、前記シーツ本体の両側縁部に沿ってそれぞれ複数に分断して設けられていることが好ましい。
【０００９】
さらに、本発明に係るギャッジベッド用シーツにおいて、前記シーツ本体は、表生地と防水シートとが積層されたシート状に形成されていることが好ましい。
【００１０】
またさらに、本発明に係るギャッジベッド用シーツにおいて、表生地と前記防水シートは、前記シーツ本体の周縁部よりも内側において縫合されており、前記シーツ本体の周縁部には、縁かがり縫い処理が施されていないことが好ましい。
【発明の効果】
【００１１】
本発明によれば、ギャッジベッドの起伏動作によるしわの発生を軽減することが可能なギャッジベッド用シーツを提供することができる。
【図面の簡単な説明】
【００１２】
【図１】本発明の第１実施形態に係るギャッジベッド用シーツの概略構成を示す平面図である。
【図２】図１のＡ−Ａ´線に沿った一部省略拡大断面図である。
【図３】第１実施形態に係るギャッジベッド用シーツをギャッジベッド上のマットレスに装着させた状態を示す斜視図である。
【図４】図４（ａ）は、図３の状態からギャッジベッドを起き上がらせた状態を示す斜視図であり、図４（ｂ）は、図４（ａ）の状態からギャッジベッドを水平にさせた状態を示す斜視図である。
【図５】本発明の第２実施形態に係るギャッジベッド用シーツの概略構成を示す平面図である。
【図６】図５のＢ−Ｂ´線に沿った一部省略拡大断面図である。
【図７】本発明の第３実施形態に係るギャッジベッド用シーツの概略構成を示す平面図である。
【図８】第３実施形態に係るギャッジベッド用シーツをギャッジベッド上のマットレスに装着させた状態を示す斜視図である。
【発明を実施するための形態】
【００１３】
次に、本発明の第１実施形態に係るギャッジベッド用シーツについて、図面に基づいて説明する。第１実施形態に係るギャッジベッド用シーツ１は、図１に示すように、幅方向（横方向）を長手方向とするシーツ本体１０と、シーツ本体１０の右側縁部に設けられた右側巻込み部２０と、シーツ本体１０の左側縁部に設けられた左側巻込み部２２とから構成されている。なお、以下の説明において、縦方向とは、ギャッジベッド１００及びマットレス２００の長手方向（図１及び図３中、Ｙ方向）を意味し、横方向とは、ギャッジベッド１００及びマットレス２００の幅方向（図１及び図３中、Ｘ方向）を意味するものとする。また、単に「巻込み部」という場合には、「右側巻込み部」及び「左側巻込み部」の双方を指すものとする。
【００１４】
シーツ本体１０は、ギャッジベッド用シーツ１のうち、マットレス２００上に敷設される部位である。このシーツ本体１０は、マットレス２００の縦方向の長さよりも短い縦方向の長さ、かつ、マットレス２００の横方向の長さよりもやや長い横方向の長さを有する矩形状に形成されている。具体的には、例えばマットレス２００がシングルベッドのサイズ（幅９７ｃｍ×長さ１９５ｃｍ）である場合には、シーツ本体１０のサイズは、例えば幅１０５ｃｍ×長さ９０ｃｍ〜１１０ｃｍとすることができる。
【００１５】
シーツ本体１０は、図２に示すように、例えば綿やポリエステル等の素材からなる生地、例えばデニム生地やパイル生地等の肌触りが優れ、吸汗性に優れた生地からなる表生地１２と、耐熱ポリウレタンラミネート等の防水性を有する素材からなる防水シート１４とが積層されたシート状に形成されている。表生地１２と防水シート１４は、粘着剤や熱溶着等により接着されており、また、ほつれや剥離を防止するために、図１及び図２に示すように、オーバーロックミシン等によりその周縁にオーバーロック縫い（縁かがり縫い）１６等の端処理が施されている。
【００１６】
巻込み部２０，２２は、それぞれ、ギャッジベッド用シーツ１のうち、ギャッジベッド１００とマットレス２００との間に巻き込まれる部位である。これら巻込み部２０，２２は、それぞれ、縦方向を長手方向とする矩形状に形成されており、シーツ本体１０の縦方向の長さと同程度の縦方向の長さ、かつ、ギャッジベッド１００とマットレス２００との間に巻き込むことが可能な横方向の長さを有している。具体的には、例えばマットレス２００がシングルベッドのサイズ（幅９７ｃｍ×長さ１９５ｃｍ）である場合には、巻込み部２０，２２のサイズは、それぞれ、例えば幅２８．５ｃｍ〜３２．５ｃｍ×長さ９０ｃｍ〜１１０ｃｍとすることができる。
【００１７】
右側巻込み部２０は、図１に示すように、例えばオーバーロックミシン等によりその周縁にオーバーロック縫い（縁かがり縫い）１８等の端処理が施されていると共に、その左端縁部全域がシーツ本体１０の右端縁部に縫い付けられている。また、左側巻込み部２２は、例えばオーバーロックミシン等によりその周縁にオーバーロック縫い（縁かがり縫い）１９等の端処理が施されていると共に、その右端縁部全域がシーツ本体１０の左端縁部に縫い付けられている。
【００１８】
巻込み部２０，２２は、それぞれ、例えば綿やポリエステル等の素材からなるニット編み生地等から形成されており、シーツ本体１０よりも伸縮性を有している。これら巻込み部２０，２２は、それぞれ、横方向（シーツ本体１０の側縁部に直交する方向。図１中のＸ方向。）よりも縦方向（シーツ本体１０の側縁部に沿う方向。図１中のＹ方向。）への伸縮が優れた異方伸縮性を有するように構成されている。
【００１９】
このように構成されたギャッジベッド用シーツ１は、図３に示すように、ギャッジベッド１００上に載置されるマットレス２００に局所的に取り付けられて使用される。具体的には、ギャッジベッド用シーツ１は、シーツ本体１０がマットレス２００上を横方向（幅方向）に横断するように敷設されると共に、巻込み部２０，２２がそれぞれギャッジベッド１００の上面とマットレス２００の下面との間に側方から挿入されることによって、マットレス２００に装着される。
【００２０】
第１実施形態に係るギャッジベッド用シーツ１によれば、ギャッジベッド１００とマットレス２００との間に巻き込まれる巻込み部２０，２２が伸縮性に優れた素材から形成されていることにより、例えば図４（ａ）及び図４（ｂ）に示すように、ギャッジベッド１００の起伏動作に追従して巻込み部２０，２２が伸縮するため、ギャッジベッド１００の起伏動作によるしわの発生を軽減することができる。すなわち、従来の一般的なシーツや、防水シートが積層された失禁用シーツでは、伸縮性が乏しいため、ギャッジベッド１００の起伏動作に伴ってギャッジベッド１００とマットレス２００との間から徐々に引っ張り出され、多くのしわを発生させてしまうという問題がある。これに対し、第１実施形態に係るギャッジベッド用シーツ１は、ギャッジベッド１００の起伏動作に追従して巻込み部２０，２２が伸縮するように構成されているため、ギャッジベッド１００とマットレス２００との間から引っ張り出されにくく、それゆえ、しわが発生しにくいという利点がある。実験の結果、このようなしわの抑制効果は、特に、巻込み部２０，２２が、横方向（シーツ本体１０の側縁部に直交する方向）への伸縮よりも縦方向（シーツ本体１０の側縁部に沿う方向）への伸縮が大きくなるような異方伸縮性を有している場合に優れていることが明らかとなった。
【００２１】
また、第１実施形態に係るギャッジベッド用シーツ１は、防水機能を有するシーツ本体１０と、伸縮性に優れた巻込み部２０，２２との双方を備えているため、失禁用シーツとしての利用が可能であると共に、より一層しわが発生しにくいものである。すなわち、従来のシーツであっても、素材によっては多少の伸縮性を有するものがあるが、このようなシーツでは、全体が伸縮性を有していることから、被介護者の寝返り等によってしわが発生しやすいという問題がある。また、このようなシーツでは、防水機能を有していないため、別途失禁用シーツを敷設させる必要があり、床ずれの原因となる段差が増加するという問題がある。これに対し、第１実施形態に係るギャッジベッド用シーツ１は、マットレス２００上に敷設されるシーツ本体１０に防水シート１４が積層されていることにより、シーツ本体１０自体に防水機能が付与されると共に、シーツ本体１０の伸縮性が比較的抑えられるため、別途失禁用シーツを敷設させる必要がなく、また、被介護者が寝返り等を行ってもしわが発生しにくいという利点がある。
【００２２】
次に、本発明の第２実施形態に係るギャッジベッド用シーツについて、図面に基づいて説明する。以下、第２実施形態に係るギャッジベッド用シーツ１´において、シーツ本体以外の構成は、第１実施形態に係るギャッジベッド用シーツ１と共通するため、その説明を省略する。なお、図５及び図６において、図１及び図２と同様の符号を付した構成は、第１実施形態に係るギャッジベッド用シーツ１と同様の構成であることを示している。
【００２３】
第２実施形態に係るギャッジベッド用シーツ１´のシーツ本体１０´は、図５及び図６に示すように、第１実施形態に係るギャッジベッド用シーツ１と同様に、肌触りが優れた素材からなる表生地１２と、防水性を有する素材からなる防水シート１４とが粘着剤や熱溶着等により接着されたシート状に形成されている。一方、シーツ本体１０´は、第１実施形態に係るギャッジベッド用シーツ１と異なり、シーツ本体１０´の周縁にオーバーロック縫い（縁かがり縫い）処理が施されておらず、表生地１２と防水シート１４とが、シーツ本体１０´の周縁部よりも内側において縫合されている。このシーツ本体１０´の周縁部よりも内側に設けられた縫合線１６´は、例えば片面飾り縫い（二重環下飾り縫い、カバーステッチ）等の縫合処理により作出されるものであり、図５及び図６に示すように、表生地１２側に２本（又は３本）の直線状の縫い目が露出し、防水シート１４側にジグザグ状（ロック状）の縫い目が露出するように形成されている。
【００２４】
第２実施形態に係るギャッジベッド用シーツ１´によれば、上述した第１実施形態に係るギャッジベッド用シーツ１の利点に加え、より床ずれが発生しにくいシーツとすることができる。すなわち、第２実施形態に係るギャッジベッド用シーツ１´は、被介護者と接触する部位であるシーツ本体１０´の周縁にオーバーロック縫い（縁かがり縫い）処理が施されていないため、第１実施形態に係るギャッジベッド用シーツ１と比較して、床ずれの原因となる段差が少ないという利点がある。特に、第２実施形態に係るギャッジベッド用シーツ１´は、被介護者との接触面である表生地１２側に直線状の縫い目しか露出されていないため、被介護者との接触面をほぼフラットにすることができる。さらに、第２実施形態に係るギャッジベッド用シーツ１´は、防水シート１４側に露出されたジグザグ状（ロック状）の縫い目が滑り止めとして機能するため、シーツがずれにくく、しわが発生しにくいという利点がある。
【００２５】
次に、本発明の第３実施形態に係るギャッジベッド用シーツについて、図面に基づいて説明する。以下、第３実施形態に係るギャッジベッド用シーツ１´´において、巻込み部以外の構成は、第１実施形態に係るギャッジベッド用シーツ１と共通するため、その説明を省略する。なお、図７において、図１と同様の符号を付した構成は、第１実施形態に係るギャッジベッド用シーツ１と同様の構成であることを示している。
【００２６】
第３実施形態に係るギャッジベッド用シーツ１´´の巻込み部２０´，２２´は、第１実施形態に係るギャッジベッド用シーツ１と異なり、シーツ本体１０の両側縁部に沿ってそれぞれ一対設けられている。
【００２７】
すなわち、シーツ本体１０の右側縁部に設けられた右側巻込み部２０´は、縦方向（シーツ本体１０の右側縁部に沿った方向）に二分割されており、上側巻込み部２０ａと、下側巻込み部２０ｂとから構成されている。これら右側巻込み部２０´の上側巻込み部２０ａ及び下側巻込み部２０ｂは、それぞれ、例えばオーバーロックミシン等によりその周縁にオーバーロック縫い（縁かがり縫い）１８´等の端処理が施されていると共に、その左端縁部全域がシーツ本体１０の右端縁部に縫い付けられている。
【００２８】
また同様に、シーツ本体１０の左側縁部に設けられた左側巻込み部２２´は、縦方向（シーツ本体１０の左側縁部に沿った方向）に二分割されており、上側巻込み部２２ａと、下側巻込み部２２ｂとから構成されている。これら左側巻込み部２２´の上側巻込み部２２ａ及び下側巻込み部２２ｂは、それぞれ、例えばオーバーロックミシン等によりその周縁にオーバーロック縫い（縁かがり縫い）１９´等の端処理が施されていると共に、その右端縁部全域がシーツ本体１０の左端縁部に縫い付けられている。これら上側巻込み部２０ａ，２２ａと下側巻込み部２０ｂ，２２ｂとは、それぞれ同形同大に形成されている。
【００２９】
このように構成されたギャッジベッド用シーツ１´´は、例えば図８に示すように、ギャッジベッド１００及びマットレス２００が屈曲する部位（屈曲線Ｌ）を境にして、縦方向の上方側（上半身側）に各巻込み部２０´，２２´の上側巻込み部２０ａ，２２ａが巻き込まれ、縦方向の下方側（下半身側）に各巻込み部２０´，２２´の下側巻込み部２０ｂ，２２ｂが巻き込まれるように、マットレス２００に取り付けられて使用される。
【００３０】
第３実施形態に係るギャッジベッド用シーツ１´´によれば、上述した第１実施形態に係るギャッジベッド用シーツ１の利点に加え、ギャッジベッド１００の起伏動作によるしわの発生をより一層軽減することができる。すなわち、第３実施形態に係るギャッジベッド用シーツ１´´は、巻込み部２０´，２２´が、ギャッジベッド１００及びマットレス２００が屈曲する部位（屈曲線Ｌ）を境にして上下に分割されているため、ギャッジベッド１００の起伏動作による影響を最小限に止めることができ、これにより、しわの発生を格段に減少させることができるという利点がある。
【００３１】
本発明に係るギャッジベッド用シーツは、上述した実施形態に限定されるものではなく、本発明の技術思想を逸脱しない範囲内において種々の改変を行なうことができる。例えば、上述した各実施形態に係るギャッジベッド用シーツにおいて、シーツ本体は、肌触りが優れた素材からなる表生地と、防水性を有する素材からなる防水シートとが積層されたシート状に形成されているとしたが、これに限定されず、表生地又は防水シートのみからなる構成や、他の生地を積層させた構成等、いかなる構成を備えるものであっても良い。また、シート本体は、伸縮性を有する素材や生地から形成されても良い。
【００３２】
また、上述した各実施形態に係るギャッジベッド用シーツにおいて、巻込み部は、それぞれ、横方向よりも縦方向への伸縮が大きくなるように構成されているとしたが、これに限定されず、横方向と縦方向の伸縮が同程度となるように構成されても良いし、縦方向よりも横方向への伸縮が大きくなるように構成されても良い。
【００３３】
さらに、上述した各実施形態に係るギャッジベッド用シーツにおいて、シート本体及び巻込み部には、それぞれ、オーバーロック縫い（縁かがり縫い）等の端処理又は片面飾り縫い（二重環下飾り縫い、カバーステッチ）等の縫合処理が施されているとしたが、これに限定されず、これら以外の端処理又は縫合処理が施されても良く、また、これら端縫合又は縫合処理が施されていない構成としても良い。
【００３４】
また、第３実施形態に係るギャッジベッド用シーツ１´´において、巻込み部２０´，２２´は、シーツ本体１０の両側縁部に沿ってそれぞれ一対設けられるとしたが、これに限定されず、シーツ本体１０の両側縁部に沿ってそれぞれ三以上に分断して設けられても良い。特に、取付対象となるギャッジベッドが、例えば膝部分でも屈曲可能に構成されているような複数の屈曲部位を有するものである場合には、右側巻込み部及び左側巻込み部は、ギャッジベッドの各屈曲部位と対応する位置においてそれぞれ分断されるように構成されることが好ましい。このように、右側巻込み部及び左側巻込み部がギャッジベッドの各屈曲部位と対応する位置において分断されるように構成されることにより、より一層しわの発生を抑制することができる。
【００３５】
さらに、第３実施形態に係るギャッジベッド用シーツ１´´において、上側巻込み部２０ａ，２２ａと下側巻込み部２０ｂ，２２ｂとは、それぞれ同形同大に形成されているとしたが、これに限定されず、それぞれ異なる形状及び大きさに形成されていても良く、また、右側巻込み部２０´と左側巻込み部２２´とが左右対称に形成されていなくても良い。
【符号の説明】
【００３６】
１，１´，１´´  ギャッジベッド用シーツ、１０，１０´  シーツ本体、２０，２０´  右側巻込み部（巻込み部）、２２，２２´  左側巻込み部（巻込み部）、１００  ギャッジベッド、２００  マットレス
【図１】
2014138662.tif 000003
【図２】
2014138662.tif 000004
【図３】
2014138662.tif 000005
【図４】
2014138662.tif 000006
【図５】
2014138662.tif 000007
【図６】
2014138662.tif 000008
【図７】
2014138662.tif 000009
【図８】
2014138662.tif 000010